(57)【特許請求の範囲】
【請求項１】
走査方向に並んだ複数のドットで構成されるピクセル内で端に位置する色の映像信号に対して変動量を検出する変動量検出手段と、前記変動量検出手段からの出力より色ズレ補正量を算出出力する補正量算出手段と、前記映像信号に対し前記補正量算出手段の出力に応じた補正を行う補正回路とを備えるカラー映像表示装置。
【請求項２】
カラーを表現するために各ドット毎に構成するピクセル内で左端に位置する色の映像信号に対して変動量を検出する第１の変動量検出手段と、前記第１の変動量検出手段からの出力より色ズレ補正量を算出出力する第１の補正量算出手段と、ピクセル内で左端に位置する色の映像信号に対し変動直後のタイミングで前記第１の補正量算出手段の出力に応じた補正を行う第１の補正回路と、カラーを表現するために各ドット毎に構成するピクセル内で右端に位置する色の映像信号に対して変動量を検出する第２の変動量検出手段と、前記第２の変動量検出手段からの出力より色ズレ補正量を算出出力する第２の補正量算出手段と、ピクセル内で右端に位置する色の映像信号に対し変動直前のタイミングで前記第２の補正量算出手段の出力に応じた補正を行う第２の補正回路とを備えるカラー映像表示装置。
【請求項３】
カラーを表現するために各ドット毎に構成するピクセル内で左端に位置する色の映像信号に対して変動量を検出する第１の変動量検出手段と、変動直前よりｎピクセル前までの輝度状態を検出する第１の輝度検出回路と、前記第１の変動量検出手段からの出力及び第１の輝度検出回路の出力より色ズレ補正量を算出出力する第１の補正量算出手段と、ピクセル内で左端に位置する色の映像信号に対し変動直後のタイミングで前記第１の補正量算出手段の出力に応じた補正を行う第１の補正回路と、カラーを表現するために各ドット毎に構成するピクセル内で右端に位置する色の映像信号に対して変動量を検出する第２の変動量検出手段と、変動直後からｎピクセル後までの輝度状態を検出する第２の輝度検出回路と、前記第２の変動量検出手段からの出力及び第２の輝度検出回路の出力より色ズレ補正量を算出出力する第２の補正量算出手段と、ピクセル内で右端に位置する色の映像信号に対し変動直前のタイミングで前記第２の補正量算出手段の出力に応じた補正を行う第２の補正回路とを備えるカラー映像表示装置。
【請求項４】
カラーを表現するために各ドット毎に構成するピクセル内で左端に位置する色の映像信号に対して変動量を検出する第１の変動量検出手段と、変動直後よりｎピクセル後までの輝度状態を検出する第１の輝度検出回路と、前記第１の変動量検出手段からの出力及び第１の輝度検出回路の出力より色ズレ補正量を算出出力する第１の補正量算出手段と、ピクセル内で左端に位置する色の映像信号に対し変動直後のタイミングで前記第１の補正量算出手段の出力に応じた補正を行う第１の補正回路と、カラーを表現するために各ドット毎に構成するピクセル内で右端に位置する色の映像信号に対して変動量を検出する第２の変動量検出手段と、変動直前からｎピクセル前までの輝度状態を検出する第２の輝度検出回路と、前記第２の変動量検出手段からの出力及び第２の輝度検出回路の出力より色ズレ補正量を算出出力する第２の補正量算出手段と、ピクセル内で右端に位置する色の映像信号に対し変動直前のタイミングで前記第２の補正量算出手段の出力に応じた補正を行う第２の補正回路とを備えるカラー映像表示装置。
【請求項５】
カラーを表現するために各ドット毎に構成するピクセル内で左端に位置する色の映像信号に対して変動量を検出する第１の変動量検出手段と、変動の前後ｎピクセル間の輝度状態を検出する第１の輝度検出回路と、前記第１の変動量検出手段からの出力及び第１の輝度検出回路の出力より色ズレ補正量を算出出力する第１の補正量算出手段と、ピクセル内で左端に位置する色の映像信号に対し変動直後のタイミングで前記第１の補正量算出手段の出力に応じた補正を行う第１の補正回路と、カラーを表現するために各ドット毎に構成するピクセル内で右端に位置する色の映像信号に対して変動量を検出する第２の変動量検出手段と、変動の前後ｎピクセル間の輝度状態を検出する第２の輝度検出回路と、前記第２の変動量検出手段からの出力及び第２の輝度検出回路の出力より色ズレ補正量を算出出力する第２の補正量算出手段と、ピクセル内で右端に位置する色の映像信号に対し変動直前のタイミングで前記第２の補正量算出手段の出力に応じた補正を行う第２の補正回路とを備えるカラー映像表示装置。
【発明の詳細な説明】
【０００１】
【発明の属する技術分野】
本発明は、カラー液晶、カラープラズマディスプレイパネル（Ｃｏｌｏｕｒ  Ｐｌａｓｍａ  Ｄｉｓｐｌａｙ  Ｐａｎｅｌ、以下カラーＰＤＰと記す）、カラーＬＥＤ（Ｌｉｇｈｔ  Ｅｍｉｔｔｉｎｇ  Ｄｉｏｄｅ）などのカラー表示可能な映像表示装置に関する。
【０００２】
【従来の技術】
映像表示装置は、入力される映像信号に応じて微細な多数のピクセルの集合で、１枚の映像を表現する。
【０００３】
カラー映像表示装置において、幾つかの方式が知られているが、ここでは１般的な液晶を例に説明する。液晶は、１般に透過又は反射する光の量を、各ドット毎に表示しようとする映像信号に応じて調節することで映像を表現している。
【０００４】
カラー表示を行う際は、図５に示す様に、１ドット毎に走査方向から赤（以下、Ｒと記す）、緑（以下、Ｇと記す）、青（以下、Ｂと記す）の順番に並んだドットでピクセルを構成し、ＲＧＢの各ドットの光の通過（もしくは反射）量を調節し、３色の混合具合で、カラー表現を行っている。
【０００５】
しかし、図６に示すような、輝度変化が大きい映像信号を表示する場合、輝低い輝度から高い輝度へ変化した場合、輝度が変化したピクセルの左端（走査方向へ向かって進める最初。図中のドットＲｉ）において、赤の色ズレが発生し、また高い輝度から低い輝度への変化の場合、輝度変化する直前のピクセルの右端（走査方向へ向かって進めて最後。図中のドットＢｊ）において、Ｂの色ズレが発生する。
【０００６】
これは、輝度変化が大きいドットの高輝度側のドットにおいて、ピクセルを構成するＲ，Ｇ，Ｂの各ドットの配置に原因があり、ドットＧについてはピクセルの中心に位置しているが、ドットＲとドットＢは、１ピクセルの横幅をＷとするとＷ／３だけそれぞれ中心よりずれて配置されているため、ピクセルの間隔や各ドットそのものの大きさにより、３色の光の視覚的な積分効果が得られにくい為である。この結果として両端のＲやＢのドットが強調されるために色ズレの様に見えてしまう。
【０００７】
この様に、この問題は強調されるＲとＢについてのレベル変化がある場合に生じる。より解りやすく説明すると、ピクセルの左端に位置しているドットＲの場合は、Ｒのレベル変化が、立ち上がる（振幅小→大）の時にＲの色ズレを生じ、ピクセルの右端に位置しているドットＢの場合は、Ｂのレベル変化が、立ち下がる（振幅大→小）の時にＢの色ズレを生じる。
【０００８】
従来、ＣＲＴの場合などは、１ピクセルの大きさを小さくすることでこの問題を解消できるが、カラー液晶の場合、かかる冗長設計を出来ないことが多い。また、昨今の大画面化により、この問題が生じやすいカラー液晶やカラーＰＤＰなどがテレビジョン受像器としても用途が広がりつつあり、この場合ドットピッチが大きくなる為、よりこの問題が顕著に現れやすくなって来ている。
【０００９】
また、この色ズレは、図７に示すように、色ズレを生じる色の映像信号の変動量により、視覚的なズレ量が異なる。
【００１０】
また、この色ズレは、図８に示すように、変化する前（ピクセル配列が図５で赤の場合、赤。青の場合は、変化した後の映像信号に相当）のドットの輝度状態により色ズレ量が、実質的に変化するという特徴がある。
【００１１】
また、この色ズレは、図９に示すように、変化した後（ピクセル配列が図５で赤の場合、赤。青の場合は、変化する前の映像信号に相当）のドットの輝度状態により色ズレ量が、実質的に変化するという特徴がある。
【００１２】
この様な問題に対策する従来のカラー映像表示装置として、特開平１０−１０５１０８号公報に記載されたものが知られている。
【００１３】
図１０に従来のカラー映像表示装置の構造を示しており、外部から送られてくる表示データＤと垂直同期信号ＶＳ、水平同期信号ＨＳ及びドットクロック信号ＣＫを入力して、各種同期信号を発生するタイミングコントローラ２２と、タイミングコントローラ２２からの同期信号に基づいて、ＬＣＤ２１の走査線と同じ数の種類の行電極走査信号を生成し、ＬＣＤ２１の行電極にそれぞれ出力する行電極駆動回路２５と、表示階調の各段階に応じた異なるアナログ階調電圧Ｖ０〜Ｖ７を色ズレ補正回路２７に出力する階調電圧発生回路２４と、シリアル信号として供給されるデジタル表示データＤを、水平ピクセル数分づつパラレル信号に変換し、このデータのそれぞれの値に応じて、入力されたＶ０〜Ｖ７を選択し、ＬＣＤ２１の行電極に出力する行電極駆動回路２３と隣接するピクセルの輝度が予め定めた所定の値以上の輝度差を持つことを検出する輝度比較検出回路１６と、輝度比較検出回路１６からの検出結果により補正が必要とされたピクセルのドットＲまたはドットＢの表示データに、色ズレを補正した階調電圧を選択出力する色ズレ補正回路２７と行及び列電極の値で光の透過量を調整して表示するＬＣＤ２１で構成されている。
【００１４】
【発明が解決しようとする課題】
このカラー映像表示装置においては、隣接したピクセルの輝度変化がある１定以上の変化があった場合、もしくは隣接したピクセルの輝度変化がある１定上変化して且つ、輝度変化後の状態がｎ回続いた場合にのみ特定の輝度補正を特定のピクセルに対して行うものであり、図７の様に輝度変動量によって変わる最適な補正量を、どの様な輝度変動量に対しても補正することが出来るわけではない。また、従来の例では、図８や図９の様に、周囲の輝度状態によって色ズレの度合いが異なることに対しても、完全な補正が出来ないという課題を有している。
【００１５】
また、輝度の変化で色ズレ補正しているが、ピクセルの配列が走査方向からＲＧＢであった場合、課題となる赤の色ズレについては、赤のレベル変化が小→大と変化する際に、また青の色ズレは、Ｂのレベル変化が大→小の場合に生じている事に対し、これ以外の輝度変化でも色ズレ補正を施す可能性があり、この場合は逆に画質劣化の要因となる。
【００１６】
本発明はこれらの課題を鑑みて、どの様な輝度変化があった場合でも常に最適な色ズレ補正を行うことが可能なカラー映像表示装置を提供する事を目的とする。
【００１７】
【課題を解決するための手段】
この課題を解決するために、第１のカラー映像表示装置では、カラーを表現するために各ドット毎に構成するピクセル内で左端に位置する色について、その色の映像信号の変動を監視し、前記色の変動直後の輝度の高いピクセルのレベルを、その変動量に応じて減ずることを特徴とし、更にカラーを表現するために各ドット毎に構成するピクセル内で右端に位置する色について、その色の映像信号の変動を監視し、変動直前の輝度の高いピクセルのレベルを、その変動量に応じてレベルを減ずるように構成したものである。
【００１８】
これにより、どの様な輝度変動量に対しても補正することが出来、またその変化量によって異なる最適な色ズレ補正を得られる。
【００１９】
第２のカラー映像表示装置では、前述第１のカラー映像表示装置において、カラーを表現するために各ドット毎に構成するピクセル内で左端に位置する色については、変動量と変動直前からｎピクセル前までの輝度状態に応じて減ずることを特徴とし、更にカラーを表現するために各ドット毎に構成するピクセル内で右端に位置する色については、変動量と変動直後からｎピクセル後までの輝度状態に応じてレベルを減ずるように構成したものである。
【００２０】
これにより、映像信号の輝度の変化前ｎピクセル間の輝度状態によって異なる色ズレの度合に対して、最適な色ズレ補正が得られる。
【００２１】
第３のカラー映像表示装置では、前述第１のカラー映像表示装置において、カラーを表現するために各ドット毎に構成するピクセル内で左端に位置する色については、変動量と変動直後からｎピクセル後までの輝度状態に応じて減じ、更に、カラーを表現するために各ドット毎に構成するピクセル内で右端に位置する色については、変動量と変動直前からｎピクセル前までの輝度状態に応じてレベルを減ずるように構成したものである。
【００２２】
これにより、映像信号の輝度の変化後ｎピクセル間の輝度状態によって異なる色ズレの度合に対して、最適な色ズレ補正が得られる。
【００２３】
第４のカラー映像表示装置では、第１のカラー映像受像装置において、変動がある場合に減ずる減衰量を、映像信号の変動量、及び前後ｎピクセルの輝度状態によって決定するように構成した物である。
【００２４】
これにより、どの様な輝度変動量に対しても色ズレ補正することが出来、またその変化量によって異なる最適な色ズレ補正を得られ、映像信号の輝度の変化の前後ｎピクセル間の輝度状態によって異なる色ズレの度合に対して、最適な色ズレ補正が得られる。
【００２５】
【発明の実施の形態】
本発明の請求項１に記載の発明は、走査方向に並んだ複数のドットで構成されるピクセル内で端に位置する色の映像信号に対して変動量を検出する変動量検出手段と、前記変動量検出手段からの出力より色ズレ補正量を算出出力する補正量算出手段と、前記映像信号に対し前記補正量算出手段の出力に応じた補正を行う補正回路とを備えるカラー映像表示装置であり、どの様な輝度変動量に対しても補正することが出来、またその変化量によって異なる最適な色ズレ補正を得られる。
【００２６】
本発明の請求項２に記載の発明は、カラーを表現するために各ドット毎に構成するピクセル内で左端に位置する色の映像信号に対して変動量を検出する第１の変動量検出手段と、前記第１の変動量検出手段からの出力より色ズレ補正量を算出出力する第１の補正量算出手段と、ピクセル内で左端に位置する色の映像信号に対し変動直後のタイミングで前記第１の補正量算出手段の出力に応じた補正を行う第１の補正回路と、カラーを表現するために各ドット毎に構成するピクセル内で右端に位置する色の映像信号に対して変動量を検出する第２の変動量検出手段と、前記第２の変動量検出手段からの出力より色ズレ補正量を算出出力する第２の補正量算出手段と、ピクセル内で右端に位置する色の映像信号に対し変動直前のタイミングで前記第２の補正量算出手段の出力に応じた補正を行う第２の補正回路とを設けたものであり、カラーを表現するために各ドット毎に構成するピクセル内で左端に位置する色については、前記色の映像信号の変動を監視し、前記色の変動直後の輝度の高いピクセルのレベルを、その変動量に応じて減ずることを特徴とし、且つ、カラーを表現するために各ドット毎に構成するピクセル内で右端に位置する色については、前記色の映像信号の変動を監視し、変動直前の輝度の高いピクセルのレベルを、その変動量に応じてレベルを減ずるという作用を有する。
【００２８】
本発明の請求項３に記載の発明は、カラーを表現するために各ドット毎に構成するピクセル内で左端に位置する色の映像信号に対して変動量を検出する第１の変動量検出手段と、変動直前よりｎピクセル前まで輝度状態を検出する第１の輝度検出回路と、前記第１の変動量検出手段からの出力及び第１の輝度検出回路の出力より色ズレ補正量を算出出力する第１の補正量算出手段と、ピクセル内で左端に位置する色の映像信号に対し変動直後のタイミングで前記第１の補正量算出手段の出力に応じた補正を行う第１の補正回路と、カラーを表現するために各ドット毎に構成するピクセル内で右端に位置する色の映像信号に対して変動量を検出する第２の変動量検出手段と、変動直後からｎピクセル後までの輝度状態を検出する第２の輝度検出回路と、前記第２の変動量検出手段からの出力及び第２の輝度検出回路の出力より色ズレ補正量を算出出力する第２の補正量算出手段と、ピクセル内で右端に位置する色の映像信号に対し変動直前のタイミングで前記第２の補正量算出手段の出力に応じた補正を行う第２の補正回路とを設けたものであり、カラーを表現するために各ドット毎に構成するピクセル内で左端に位置する色については、変動量と変動直前からｎピクセル前までの輝度状態に応じて減ずることを特徴とし、且つ、カラーを表現するために各ドット毎に構成するピクセル内で右端に位置する色については、変動量と変動直後からｎピクセル後までの輝度状態に応じてレベルを減ずるという作用を有する。
【００３０】
本発明の請求項４に記載の発明は、カラーを表現するために各ドット毎に構成するピクセル内で左端に位置する色の映像信号に対して変動量を検出する第１の変動量検出手段と、変動直後よりｎピクセル後までの輝度状態を検出する第１の輝度検出回路と、前記第１の変動量検出手段からの出力及び第１の輝度検出回路の出力より色ズレ補正量を算出出力する第１の補正量算出手段と、ピクセル内で左端に位置する色の映像信号に対し変動直後のタイミングで前記第１の補正量算出手段の出力に応じた補正を行う第１の補正回路と、カラーを表現するために各ドット毎に構成するピクセル内で右端に位置する色の映像信号に対して変動量を検出する第２の変動量検出手段と、変動直前からｎピクセル前までの輝度状態を検出する第２の輝度検出回路と、前記第２の変動量検出手段からの出力及び第２の輝度検出回路の出力より色ズレ補正量を算出出力する第２の補正量算出手段と、ピクセル内で右端に位置する色の映像信号に対し変動直前のタイミングで前記第２の補正量算出手段の出力に応じた補正を行う第２の補正回路とを設けたものであり、カラーを表現するために各ドット毎に構成するピクセル内で左端に位置する色については、変動量と変動直後からｎピクセル後までの輝度状態に応じて減ずることを特徴とし、且つ、カラーを表現するために各ドット毎に構成するピクセル内で右端に位置する色については、変動量と変動直前からｎピクセル前までの輝度状態に応じてレベルを減ずるという作用を有する。
【００３２】
本発明の請求項５に記載の発明は、カラーを表現するために各ドット毎に構成するピクセル内で左端に位置する色の映像信号に対して変動量を検出する第１の変動量検出手段と、変動の前後ｎピクセル間の輝度状態を検出する第１の輝度検出回路と、前記第１の変動量検出手段からの出力及び第１の輝度検出回路の出力より色ズレ補正量を算出出力する第１の補正量算出手段と、ピクセル内で左端に位置する色の映像信号に対し変動直後のタイミングで前記第１の補正量算出手段の出力に応じた補正を行う第１の補正回路と、カラーを表現するために各ドット毎に構成するピクセル内で右端に位置する色の映像信号に対して変動量を検出する第２の変動量検出手段と、変動の前後ｎピクセル間の輝度状態を検出する第２の輝度検出回路と、前記第２の変動量検出手段からの出力及び第２の輝度検出回路の出力より色ズレ補正量を算出出力する第２の補正量算出手段と、ピクセル内で右端に位置する色の映像信号に対し変動直前のタイミングで前記第２の補正量算出手段の出力に応じた補正を行う第２の補正回路とを設けたものであり、ピクセルの左端に位置する色の映像信号では変動後のピクセルに、またピクセルの左端に位置する色の映像信号では変動後のピクセルに対して、変動量と変動前後ｎピクセル間の輝度状態に応じてそれぞれ減ずるという作用を有する。
【００３３】
以下、本発明の実施の形態について、図１から図３を用いて説明する。
【００３４】
（実施の形態１）
図１は本発明の第１の実施の形態によるカラー映像表示装置のブロック図を示し、図５のようなピクセル配列の場合におけるものである。図１において１Ｒ、１Ｂは、１ピクセル分の遅延を行う遅延回路である。２Ｒ、２Ｂは、１Ｒ、１Ｂの前後の映像信号の差分を出力する減算器である。４Ｒ，４Ｂは、図７に示すような補正量を減算器２Ｒ，２Ｂの出力に基づいて出力するＲＯＭである。３Ｒ，３Ｂは遅延回路１Ｒ、１Ｂの出力の映像信号について、それぞれ１定の遅延を施す遅延調節回路である。５Ｒ、５Ｂは、遅延調節回路３Ｒ，３Ｂで遅延されらた映像信号出力に、ＲＯＭ４Ｒ，４Ｂ出力の補正量分減算する減算器である。遅延調節回路３Ｇは、他の２色の回路で映像信号が遅延するためこの遅延量と同等の遅延を映像信号Ｇに施す遅延回路である。
【００３５】
以上のように構成されたカラー映像表示装置の動作について説明する。
【００３６】
まず、遅延回路１Ｒ，１Ｂ及び、減算器２Ｒ，２Ｂによって、隣り合ったピクセルのレベルの差分が得られる様に映像信号ＲとＢの変動量検出手段を構成しており変動量をそれぞれ検出出力している。この検出手段によって変動量が入力されるＲＯＭ４Ｒ，４Ｂは、変動量によって図７の様に異なる最適な色ズレ補正量を算出出力する。この結果、遅延調節回路３Ｒ，３Ｂ出力の映像信号に対し補正量分減じられる。この時、遅延調節回路３Ｒは、映像信号Ｒの変動部分の変動直後のピクセルに対して、ＲＯＭ４Ｒ出力の補正が加わるように予め遅延量がを調節されている。また、遅延調節回路３Ｂは、映像信号Ｂの変動部分の変動直前のピクセルに対して、ＲＯＭ４Ｂ出力の補正が加わるように予め遅延量がを調節されている。これらの事から、ピクセル配列の左端もしくは右端に配置されている色の映像信号の変動部分で発生する色ズレについて、図７の様な特性を持つ最適な色ズレ補正が映像信号に施される。
【００３７】
（実施の形態２）  図２は本発明の第１の実施の形態によるカラー映像表示装置のブロック図を示し、図５のようなピクセル配列の場合におけるものである。（実施の形態１）との相違点のみを説明する。
【００３８】
図２において１１、１２、…１ｎは、それぞれ１ピクセル分の遅延を映像信号Ｒについて行う縦列接続されたｎ個の遅延回路である。図２において９１、９２、…９ｎは、それぞれ１ピクセル分の遅延を映像信号Ｂについて行う縦列接続されたｎ個の遅延回路である。６１，６２、…６ｎは、遅延回路１ｎの出力とｎ個の遅延回路１１，１２，…１ｎの各入力との差分をそれぞれ算出するｎ個の比較器である。８１，８２、…８ｎは、遅延回路１Ｂの出力とｎ個の遅延回路９１，９２，…９ｎの各出力との差分をそれぞれ算出するｎ個の比較器である。７Ｒは、比較器６１，６２、…６ｎの出力より、変動を検出するピクセルからｎ個後のピクセルまでの輝度状態を検出するデコード回路である。７Ｂは、比較器８１，８２、…８ｎの出力より、変動を検出するピクセルからｎ個前のピクセルまでの輝度状態を検出するデコード回路である。４Ｒ，４Ｂは、減算器２Ｒ，２Ｂの出力に基づいて図７に示すような補正量をまず算出し、これにデコード回路７Ｒ，７Ｂの出力よって図９の様な補正度合いの重み付けをして補正量を出力するＲＯＭである。
【００３９】
以上のように構成されたカラー映像表示装置の動作について説明する。
【００４０】
まず、映像信号Ｒについて動作を説明する。遅延回路１Ｒ及び、減算器２Ｒによって、隣り合ったピクセルのレベルの差分が得られる様に映像信号Ｒの変動量検出手段を構成しており変動量をそれぞれ検出出力している。
【００４１】
また、遅延回路１１，１２，…１ｎは、前記検出手段の前段にｎ個直列に配置されており、各遅延回路の入力と検出手段の入力とを比較器６１，６２，…６ｎでそれぞれ比較することによって、変動量検出手段で対象とするピクセルよりｎ個後までのピクセルにおける相対輝度が得られ、これをデコード回路７Ｒによって変動量検出手段で対象とするピクセルからｍピクセル後に輝度変動があるかを検出出力する。
【００４２】
これら２つの検出結果が入力されるＲＯＭ４Ｒは、変動量によって図７の様に異なる最適な色ズレ補正量を算出し、減算器２Ｒの出力に基づいて図７に示すような補正量をまず算出し、これにデコード回路７Ｒの出力よって図９の様な補正度合いの重み付けをして補正量を出力する。
【００４３】
この結果、デコード回路７Ｒの出力によって、補正を行うピクセルよりｎピクセル後までの輝度状態によって補正量が変化、重み付けされており、図９のように変化後の輝度状態によって変わる最適な補正量を実現することが可能となる。
【００４４】
また、映像信号Ｂの場合は、同様に変動量、及び輝度状態を検出するが、検出する輝度状態は、変動量を検出するピクセルよりｎピクセル前までの相対輝度状態を検出し、図９の様な最適な補正量が得られる。
【００４５】
（実施の形態３）  図３は本発明の第３の実施の形態によるカラー映像表示装置のブロック図を示し、図５のようなピクセル配列の場合におけるものである。（実施の形態１）との相違点のみを説明する。
【００４６】
図３において１１、１２、…１ｎは、それぞれ１ピクセル分の遅延を映像信号Ｒについて行う縦列接続されたｎ個の遅延回路である。図３において９１、９２、…９ｎは、それぞれ１ピクセル分の遅延を映像信号Ｂについて行う縦列接続されたｎ個の遅延回路である。６１，６２、…６ｎは、遅延回路１Ｒの出力とｎ個の遅延回路１１，１２，…１ｎの各出力との差分をそれぞれ算出するｎ個の比較器である。８１，８２、…８ｎは、遅延回路９ｎの出力とｎ個の遅延回路９１，９２，…９ｎの各入力との差分をそれぞれ算出するｎ個の比較器である。７Ｒは、比較器６１，６２、…６ｎの出力より、変動を検出するピクセルからｎ個前のピクセルまでの輝度状態を検出するデコード回路である。７Ｂは、比較器８１，８２、…８ｎの出力より、変動を検出するピクセルからｎ個後のピクセルまでの輝度状態を検出するデコード回路である。４Ｒ，４Ｂは、減算器２Ｒ，２Ｂの出力に基づいて図７に示すような補正量をまず算出し、これにデコード回路７Ｒ，７Ｂの出力によって図８の様な補正度合いの重み付けをして補正量を出力するＲＯＭである。
【００４７】
以上のように構成されたカラー映像表示装置の動作について説明する。
【００４８】
まず、映像信号Ｒについて動作を説明する。遅延回路１Ｒ及び、減算器２Ｒによって、隣り合ったピクセルのレベルの差分が得られる様に変動量検出手段を構成しており、映像信号Ｒの変動量を検出出力している。
【００４９】
また、遅延回路１１，１２，…１ｎは、前記検出手段の後段にｎ個直列に配置されており、各遅延回路の入力と検出手段の入力とを比較器６１，６２，…６ｎでそれぞれ比較することによって、変動量検出手段で対象とするピクセルよりｎ個前までのピクセルにおける相対輝度が得られ、これをデコード回路７Ｒによって変動量検出手段で対象とするピクセルからｍピクセル前に輝度変動があるかを検出出力する。
【００５０】
これら２つの検出結果が入力されるＲＯＭ４Ｒは、変動量によって図７の様に異なる最適な色ズレ補正量を算出し、減算器２Ｒの出力に基づいて図７に示すような補正量をまず算出し、これにデコード回路７Ｒの出力よって図８の様な補正度合いの重み付けをして補正量を出力する。
【００５１】
この結果、デコード回路７Ｒの出力によって、補正を行うピクセルよりｎピクセル後までの輝度状態によって補正量が変化、重み付けされており、図８のように変動前の輝度状態によって異なる最適な補正量を実現することが可能となる。
【００５２】
また、映像信号Ｂの場合は、同様に変動量、及び輝度状態を検出するが、遅延回路９１、９２，…９ｎが変動量検出手段の前段に配置されており、検出する輝度状態は、変動量を検出するピクセルよりｎピクセル後までの相対輝度状態を検出し、図８の様な最適な補正量が得られる。
【００５３】
（実施の形態４）  図４は本発明の第４の実施の形態によるカラー映像表示装置のブロック図を示し、図５のようなピクセル配列の場合におけるものである。（実施の形態１）との相違点のみを説明する。
【００５４】
図４において１１、…１ｍ、１ｍ＋１、…１ｎは、それぞれ１ピクセル分の遅延を映像信号Ｒについて行う直列接続されたｎ個の遅延回路である。図３において９１、…９ｍ、９ｍ＋１、…９ｎは、それぞれ１ピクセル分の遅延を映像信号Ｂについて行う直列接続されたｎ個の遅延回路である。６１，…６ｍ、６ｍ＋１、…６ｎは、直列接続された遅延回路１１，…１ｍ，１ｍ＋１、…１ｎの中点であるｍ番目の遅延回路１ｍの出力と他の遅延回路延回路１１，…１ｎの各入力もしくは出力との差分をそれぞれ算出するｎ個の比較器である。８１，…８ｍ、８ｍ＋１、…８ｎは、直列接続された遅延回路９１，…９ｍ，９ｍ＋１，…９ｎの中点であるｍ番目の遅延回路９ｍの出力と他の遅延回路延回路９１，…９ｎの各入力もしくは出力との差分をそれぞれ算出するｎ個の比較器である。７Ｒは、比較器６１，…６ｍ、６ｍ＋１…６ｎの出力より、変動を検出するピクセルの前後ｍ個のピクセルまでの輝度状態を検出するデコード回路である。７Ｂは、比較器８１，…８ｍ、８ｍ＋１、…８ｎの出力より、変動を検出するピクセルの前後ｍ個のピクセルまでの輝度状態を検出するデコード回路である。４Ｒ，４Ｂは、減算器２Ｒ，２Ｂの出力に基づいて図７に示すような補正量をまず算出し、これにデコード回路７Ｒ，７Ｂの出力によって図８及び図９の様な補正度合いの重み付けをしてそれぞれ補正量を出力するＲＯＭである。
【００５５】
以上のように構成されたカラー映像表示装置の動作について説明する。
【００５６】
まず、映像信号Ｒについて動作を説明する。遅延回路１ｍ＋１及び、減算器２Ｒによって、隣り合ったピクセルのレベルの差分が得られる様に変動量検出手段を構成しており、映像信号Ｒの変動量を検出出力している。
【００５７】
また、遅延回路１１，…１ｎは、前記検出手段の前後にそれぞれｍ個直列に配置されており、各遅延回路の入力もしくは出力と中点である遅延回路１ｍの出力とを比較器６１，…６ｎでそれぞれ比較することによって、変動量検出手段で対象とするピクセルの前後ｍ個のピクセルにおける相対輝度がそれぞれ得られ、これをデコード回路７Ｒによって変動量検出手段で対象とするピクセルからｍピクセル前後に輝度変動があるかを前後それぞれ検出出力する。
【００５８】
これらの検出結果が入力されるＲＯＭ４Ｒは、変動量によって図７の様に異なる最適な色ズレ補正量を、減算器２Ｒの出力に基づいて図７に示すような最適な補正量をまず算出し、これにデコード回路７Ｒの出力よって図８、図９の様な補正度合いの重み付けをして補正量を出力する。
【００５９】
この結果、デコード回路７Ｒの出力によって、補正を行うピクセルの前後ｎピクセルの輝度状態によって補正量が変化、重み付けされており、図８及び図９のように変動前後の輝度状態によって異なっている最適な補正量を実現することが可能となる。
【００６０】
また、映像信号Ｂの場合も、同様に変動量、及び輝度状態を検出、補正が施されるが、補正量の重み付けをする際、映像信号Ｒの場合で使用した図８が図９に、図９が図８に置き換わる。
【００６１】
また、図８，図９を比較して分かるように、補正量の重み付けに差があるために、補正対象となる前後のピクセルとの相対輝度を求める際、前後のピクセル数を同じとする必要は無い。
【００６２】
なお、以上の説明では、補正量算出手段としてＲＯＭ４Ｒ、４Ｂを使用した例で説明したが、折れ線で近似するなど領域により係数が変化する乗算回路などで構成しても同様に実施可能である。
【００６３】
【発明の効果】
以上のように本発明によれば、どの様な輝度変動量に対しても色ズレ補正することが出来、またその変化量によって異なる最適な色ズレ補正を得られる。また、映像信号の輝度の変化の前後ｎピクセル間の輝度状態によって異なる色ズレの度合に対して、最適な色ズレ補正が得られる。これらの事から、常に最適な色ズレ補正を行うことが可能であるという有利な効果が得られる。
【図面の簡単な説明】
【図１】本発明の第１の実施の形態によるカラー映像表示装置をブロック図
【図２】本発明の第２の実施の形態によるカラー映像表示装置をブロック図
【図３】本発明の第３の実施の形態によるカラー映像表示装置をブロック図
【図４】本発明の第４の実施の形態によるカラー映像表示装置をブロック図
【図５】１ピクセルのピクセル構造を示す構造図
【図６】カラー映像表示装置における色ズレの原理を示す関係図
【図７】映像信号の変動量によって変化する最適色ズレ補正量を示す特性図
【図８】変化以前の映像信号の状態によって変化する最適色ズレ補正量を示す特性図
【図９】変化以後の映像信号の状態によって変化する最適色ズレ補正量を示す特性図
【図１０】従来のカラー映像表示装置を示すブロック図
【符号の説明】
１Ｒ，１Ｂ  遅延回路
２Ｒ，２Ｂ、５Ｒ，５Ｂ  減算器
３Ｒ，３Ｇ，３Ｂ  遅延調整回路
４Ｒ，４Ｂ  ＲＯＭ
６１，６２，６ｍ、６ｍ＋１，６ｎ，８１，８２，８ｍ、８ｍ＋１，８ｎ  比較器
７Ｒ，７Ｂ  デコード回路
１１，１２，１ｍ、１ｍ＋１，１ｎ，９１，９２，９ｍ、９ｍ＋１，９ｎ  遅延回路
２１  ＬＣＤ
２２  タイミングコントローラ
２３  列電極駆動回路
２４  階調電圧発生回路
２５  行電極駆動回路
２６  輝度比較検出回路
２７  色ズレ補正回路
【図１】
0003799910.tif 000002
【図２】
0003799910.tif 000003
【図３】
0003799910.tif 000004
【図４】
0003799910.tif 000005
【図５】
0003799910.tif 000006
【図６】
0003799910.tif 000007
【図７】
0003799910.tif 000008
【図８】
0003799910.tif 000009
【図９】
0003799910.tif 000010
【図１０】
0003799910.tif 000011